(57)【要約】      （修正有）【課題】中骨を有するうちわについて、シートの図柄に合わせてシートと中骨の両方を切断し意匠性を高めるうちわの製造方法を提供する。【解決手段】外枠２１と中骨２２を有するうちわ本体２に、図柄の描かれた表面シートを貼付する工程と、図柄に沿って、表面シート及びうちわ本体を、レーザーカッターを用いて切断する工程とを含む、うちわの製造方法を提供する。切断によって分離される被切断部分にシート内で面積を持つ部分を含むことで、シートに孔をあけることができる。図柄に合わせて孔をあけることで図柄が人物である場合に、孔から見える後方の背景の中にその人物がいるように見える。【選択図】図２
2020185286.tif 000002
【特許請求の範囲】
【請求項１】
外枠と中骨を有するうちわ本体に、図柄の描かれた表面シートを貼付する工程と、
前記図柄に沿って、前記表面シート及び前記うちわ本体を、レーザーカッターを用いて切断する工程とを含むことを特徴とする、うちわの製造方法。
【請求項２】
前記切断する工程において、切断によって分離される被切断部分に前記表面シート内で面積を持つ部分を含むことを特徴とする、請求項１に記載のうちわの製造方法。
【請求項３】
前記切断する工程において、前記被切断部分に前記外枠の長さの５０％以上を含むことを特徴とする、請求項１又は２に記載のうちわの製造方法。
【請求項４】
前記切断する工程において、前記図柄を表すデータに基づいて、前記レーザーカッターを駆動することを特徴とする、請求項１〜３のいずれか１項に記載のうちわの製造方法。
【請求項５】
前記外枠及び前記中骨は竹製であることを特徴とする、請求項１〜４のいずれか１項に記載のうちわの製造方法。
【発明の詳細な説明】
【技術分野】
【０００１】
本発明は、うちわの製造方法に関する。
【背景技術】
【０００２】
うちわは、紙製、プラスチック製等のシートに棒状の持ち手が付されたものである。シートとして、１枚の板状のものに図柄を描いたのみでなく、意匠性を高める工夫をしたものが、例えば特許文献１に開示されている。
【０００３】
意匠性を高める工夫として、シートに、図柄に合わせて孔をあけることが考えられる。図柄が人物である場合に、孔から見える後方の背景の中にその人物がいるように見える。図柄が風景である場合に、孔から見える後方の人物がその風景の中にいるように見える。その他の効果を得ることができる。
【０００４】
孔をあけるためにはシートを切断するが、先にシートを切断して切断したシートをうちわ本体に貼付する方法と、先に貼付してその後に切断する方法とが考えられる。
【０００５】
シートが紙製である場合には、うちわ本体に使用時の強度を保つための中骨（シートの裏にある棒状体）が設けられており、孔の部分の中骨が残ると上述の効果を十分に得ることができない。そこで、先に貼付してその後に切断する方法によることとなる。
【０００６】
シートと中骨の両方を切断することとなるが、中骨がシートよりも硬質であり、シートのみを切断する箇所と、シートと中骨の両方を切断する箇所とがあるため、図柄に合わせて正確に切断することが容易でない。
【先行技術文献】
【特許文献】
【０００７】
【特許文献１】特開２０１２−０００４０８号公報
【発明の開示】
【発明が解決しようとする課題】
【０００８】
本発明は、中骨を有するうちわについて、シートの図柄に合わせてシートと中骨の両方を切断するうちわの製造方法を提供することを課題とする。
【課題を解決するための手段】
【０００９】
本発明のうちわの製造方法は、
外枠と中骨を有するうちわ本体に、図柄の描かれた表面シートを貼付する工程と、
前記図柄に沿って、前記表面シート及び前記うちわ本体を、レーザーカッターを用いて切断する工程とを含むことを特徴とする。
【００１０】
この特徴によれば、レーザーカッターの切断力を活用して、表面シート及びうちわ本体の同位置を正確に切断することができる。
【００１１】
本発明のうちわの製造方法は、
前記切断する工程において、切断によって分離される被切断部分に前記表面シート内で面積を持つ部分を含むことを特徴とする。
【００１２】
この特徴によれば、被切断部分が分離されて、表面シートに孔が形成される。
【００１３】
本発明のうちわの製造方法は、
前記切断する工程において、前記被切断部分に前記外枠の長さの５０％以上を含むことを特徴とする。
【００１４】
この特徴によれば、外枠の過半が切断によって除去される。
【００１５】
本発明のうちわの製造方法は、
前記切断する工程において、前記図柄を表すデータに基づいて、前記レーザーカッターを駆動することを特徴とする。
【００１６】
この特徴によれば、レーザーカッターの軌道を、自動的に定めることができる。
【００１７】
本発明のうちわの製造方法は、
前記外枠及び前記中骨は竹製であることを特徴とする
【００１８】
この特徴によれば、日本古来のうちわに、本発明を適用することができる。
【発明の効果】
【００１９】
本発明によれば、中骨を有するうちわについて、シートの図柄に合わせてシートと中骨の両方を切断するうちわの製造方法が提供される。
【図面の簡単な説明】
【００２０】
【図１】図１は、うちわを示す図である。
【図２】図２は、うちわ本体を示す図である。
【図３】図３は、表面シートの図柄の例を示す図である。
【図４】図４は、表面シートの図柄の別の例を示す図である。
【図５】図５は、表面シートの切断の例を示す図である。
【図６】図６は、表面シートの切断の例を示す図である。
【図７】図７は、うちわの製造手順を示す図である。
【発明を実施するための形態】
【００２１】
以下、本発明の実施例を説明する。
【００２２】
図１は、うちわを示す図である。うちわ１は、うちわ本体２に表面シート３を貼付したものである。
【００２３】
図２は、うちわ本体を示す図である。うちわ本体２は、外枠２１、中骨２２及び持ち手２３を含んで構成される。外枠２１及び中骨２２は、表面シート３を支持し、風を起こす時に表面シート３が空気圧によって大きく変形してしまうことを防止する。外枠２１及び中骨２２は、プラスチックなどの各種の素材を用いることができるが、日本古来のうちわにおいては竹製である。
【００２４】
図３は、表面シートの図柄の例を示す図である。ここでは、浮世絵の人物の図柄としてある（図３（Ａ））。ここで、被切断部分３１を分離（削除）して、図３（Ｂ）に示すように後方の風景が見えるようにすることで、図３（Ｃ）に示すように、浮世絵の人物が実風景の中にいるように見える。本実施例では、高層ビルと浮世絵のミスマッチ感を楽しむことができる。
【００２５】
図４は、表面シートの図柄の別の例を示す図である。ここでは、風景画（神奈川沖浪裏）としてある（図４（Ａ））。ここで、被切断部分３１を分離（削除）して、図４（Ｂ）に示すように後方が見えるようにすることで、図４（Ｃ）に示すように、実在の人物が画の風景の中にいるように見える。
【００２６】
図５は、表面シートの切断の例を示す図である。図３に示した例と、被切断部分３１が相違する。図３においては表面シート３と中骨２２のみが切断されたが、外枠２１も合わせて切断するものである。図５（Ｂ）に示すように、浮世絵の人物が実風景の中にいるように見える感覚がより現実的になる。被切断部分３１に外枠２１の長さの５０％以上を含むようにすると、外枠２１が見えない感覚となり、表面シート３の描かれた物が背景の中にある（いる）感覚が強くなる。
【００２７】
図６は、表面シートの切断の別の例を示す図である。表面シートに複数の切断線３２を入れることで、風を起こす時に切断線３２に挟まれた浮遊部分３３が空気圧によって周囲と分離して動く。動きを楽しむことができる。孔を設けない場合にも、楽しみを得ることができる。
【００２８】
以上、図３〜図６に示した切断を行う際、表面シート３に加え中骨２２を切断するため（図５においては外枠２１も切断するため）、刃物を用いて切断すると、中骨２２（又は外枠２１）の剛性によって刃物の移動が擾乱されてしまい、正確な箇所を切断することが困難である。
【００２９】
そこで、レーザーカッターを用いて切断する。レーザーカッターは、データに基づいて直線状のレーザーを移動させ、移動した軌道に沿って切断する。表面シート３、中骨２２、外枠２１のいずれも移動した軌道の箇所が切断されるため、正確な箇所を切断することができる。
【００３０】
図７は、うちわの製造手順を示す図である。まず、うちわ本体２に表面シート３を貼付する。例えば、図３（Ａ）の状態となる。
【００３１】
次に、レーザーカッターによって、被切断部３１を切断する。例えば、図３（Ｂ）に示すように孔を有するうちわ１が完成する。
【００３２】
ここで、レーザーカッターによる切断は、レーザーを移動させる軌道を表すデータに基づいて行われる。うちわ１を空間に位置を定めて固定し、定められた位置において被切断部３１の周縁に沿ってレーザーを移動させれば、正確に切断することができる。
【００３３】
データ（レーザーの軌道の座標）は、図柄における位置を測定して求めてもよいが、図柄を表すデータに基づいてプログラムで求めることもできる。例えば、図柄がコンピュータグラフィクスによって生成されたものであれば、コンピュータグラフィクスのデータに図柄内の各部の境界の座標が含まれている。また、単なるイメージデータであっても、色相や明度の変化の大きい箇所が図柄内の各部の境界となると考えられる。
【００３４】
すなわち、表面シート３に図柄を印刷するためのデータがあれば、それを活用してレーザーの軌道の座標を定めることは、困難ではない。
【産業上の利用可能性】
【００３５】
中骨を有するうちわについて、シートの図柄に合わせてシートと中骨の両方を切断するうちわの製造方法である。うちわの意匠性を高めたい者、うちわに孔を設けて効果を得たい者による利用が考えられる。
【符号の説明】
【００３６】
１        うちわ
２        うちわ本体
２１      外枠
２２      中骨
２３      持ち手
３        表面シート
３１      被切断部
３２      切断線
３３      浮遊部分
【図１】
2020185286.tif 000003
【図２】
2020185286.tif 000004
【図３】
2020185286.tif 000005
【図４】
2020185286.tif 000006
【図５】
2020185286.tif 000007
【図６】
2020185286.tif 000008
【図７】
2020185286.tif 000009